(57)【要約】    【課題】カメラを有する子機の台数に因らず、効率よくスキャンモニタ、または個別モニタを可能とする。    【解決手段】制御機６により制御される複数の子機１ａ、１ｂ、１ｃ、１ｄ、１ｅおよび親機２のうち、子機のカメラ１１において撮像される映像を、子機の子機識別ＩＤに基づく所定の順序で親機のモニタ２３に出画してスキャンモニタを行うにあたって、親機の操作、または制御機に接続される設定用コンピュータ４の操作により、スキャンモニタの対象および当該スキャンモニタの順序を任意に設定／変更して制御機のメモリ６２に予め記憶できるばかりでなく、スキャンモニタする時間の間隔についても親機または設定用コンピュータを操作して任意に設定／変更できることから、これら設定／変更の作業が容易となり作業効率が高められる。  【選択図】図１
2007037054.tif 000002
【特許請求の範囲】
【請求項１】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うためのＣＰＵ（６０）と、前記スキャンモニタする子機を予め記憶するためのメモリ（６２）とを備えたことを特徴とするインターホンシステム。
【請求項２】
前記メモリに記憶されるスキャンモニタ対象の子機は、前記親機の操作、または前記制御機に接続される設定用コンピュータ（４）の操作により設定／変更を行うことを特徴とする請求項１記載のインターホンシステム。
【請求項３】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記親機は、前記子機を選択するための子機選択部（２５）を備え、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、スキャンモニタ中に前記子機選択部において所望の子機が選択されたときには前記スキャンモニタを停止し、前記選択された子機を個別モニタする制御を行うためのＣＰＵ（６０）を備えたことを特徴とするインターホンシステム。
【請求項４】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記親機は、前記子機からの呼び出しに応答して通話を成立させるための通話ボタン（２２）を備え、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、スキャンモニタ中に前記通話ボタンが操作されたときには前記スキャンモニタを停止して通話モードに移行する制御を行うためのＣＰＵ（６０）を備えたことを特徴とするインターホンシステム。
【請求項５】
カメラ（１１）を有する複数の子機（１ａ、１ｂ、１ｅ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、個別モニタ中の場合において、前記スキャンモニタボタンを操作したことを検出すると前記個別モニタ中の子機から前記スキャンモニタを開始する制御を行うためのＣＰＵ（６０）を備えたことを特徴とするインターホンシステム。
【請求項６】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うためのＣＰＵ（６０）を備え、
前記スキャンモニタの時間の間隔は、前記親機の操作、または前記制御機に接続される設定用コンピュータ（４）の操作により設定／変更を行うことを特徴とするインターホンシステム。
【請求項７】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、前記スキャンモニタを開始した子機から一巡した場合には、前記スキャンモニタを終了し、待受状態に移行する制御を行うためのＣＰＵ（６０）を備えたことを特徴とするインターホンシステム。
【請求項８】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うためのＣＰＵ（６０）を備え、
前記親機は、スキャンモニタ中の子機を識別するためのＬＥＤ（２４）を備えたことを特徴とするインターホンシステム。
【請求項９】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、スキャンモニタ中に前記子機からの呼び出しを検出したときには前記スキャンモニタ中の子機の子機識別ＩＤを記憶するとともに、前記スキャンモニタを停止して呼出状態に移行させ、その後、待受状態に移行した場合には、前記記憶した子機識別ＩＤの子機、または次の子機から前記スキャンモニタを再開させる制御を行うためのＣＰＵ（６０）を備えたことを特徴とするインターホンシステム。
【請求項１０】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、スキャンモニタ中の前記子機のカメラにおいて撮像された映像が所定値以上変化したことを検出したときには、前記スキャンモニタを停止して前記子機を個別モニタする制御を行うためのＣＰＵ（６０）を備えたことを特徴とするインターホンシステム。
【請求項１１】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、スキャンモニタ中の前記子機の音声レベルが所定値以上であると検出したときには、前記スキャンモニタを停止して前記子機を個別モニタする制御を行うためのＣＰＵ（６０）を備えたことを特徴とするインターホンシステム。
【請求項１２】
カメラ（１１）を有する複数の子機（１ａ、１ｂ、１ｃ、１ｄ、１ｅ）と、前記子機のカメラにおいて撮像された映像を出画して通話を成立させるためのモニタ（２３）を有する親機（２）と、前記子機および前記親機を制御するための制御機（６）とを備え、
前記子機は、子機識別のための子機識別ＩＤを有し、
前記制御機は、設定された時間の間隔で、前記親機において前記子機をスキャンモニタするためのスキャンモニタボタン（２６）が操作されたことを検出したとき、前記子機識別ＩＤに基づく所定の順序で前記子機のカメラを動作させることにより、前記スキャンモニタする制御を行うとともに、前記スキャンモニタから前記個別モニタに切り替えた場合の報知を前記親機において行うためのＣＰＵ（６０）を備えたことを特徴とするインターホンシステム。
【請求項１３】
前記親機は、前記制御機と一体的に構成されることを特徴とする請求項１乃至請求項１２のうち何れか１項記載のインターホンシステム。
【発明の詳細な説明】
【技術分野】
【０００１】
本発明はインターホンシステムに係り、特に、複数設けられた子機のカメラにおいて撮像される映像を、親機においてスキャンモニタ、または個別モニタ可能なインターホンシステムに関する。
【背景技術】
【０００２】
従来から、スキャンモニタ機能を有するインターホンシステムとして、種々のものが提案されている。
【０００３】
例えば、オートスキャン中であっても、複数のテレビカメラ子機のうち、特定の当該子機から呼び出しがあれば、呼出元を検出して親機のスピーカから呼出音を鳴動（放音）し、さらに、呼出表示灯を点灯または点滅で表示し、テレビカメラ子機が呼び出しを行っているのか、オートスキャンの対象であるのかを区別できるテレビインターホン装置が開示されている（例えば、特許文献１を参照。）。
【０００４】
【特許文献１】特開平９−１５４１２９号公報（段落番号「００２０」〜「００３５」、第１図および第２図）
【発明の開示】
【発明が解決しようとする課題】
【０００５】
しかしながら、背景技術に記載した特許文献１のテレビインターホン装置においては、オートスキャン機能は備えられているが、予め決められた順序でしかスキャンモニタを行うことができず、テレビカメラ子機の台数が多くなればなるほどスキャンモニタの使い勝手が悪くなる虞があった。
【０００６】
本発明は、この難点を解消するためになされたもので、カメラを有する子機の台数に因らず、効率よくスキャンモニタ、または個別モニタが可能なインターホンシステムを提供することを目的としている。
【課題を解決するための手段】
【０００７】
前述の目的を達成するため、本発明の第１の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うためのＣＰＵと、スキャンモニタする子機を予め記憶するためのメモリとを備えたものである。
【０００８】
本発明の第２の態様であるインターホンシステムは、本発明の第１の態様において、メモリに記憶されるスキャンモニタ対象の子機は、親機の操作、または制御機に接続される設定用コンピュータの操作により設定／変更が行われるものである。
【０００９】
本発明の第３の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。親機は、子機を選択するための子機選択部を備えたものである。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタ中に子機選択部において所望の子機が選択されたときにはスキャンモニタを停止し、選択された子機を個別モニタする制御を行うためのＣＰＵを備えたものである。
【００１０】
本発明の第４の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。親機は、子機からの呼び出しに応答して通話を成立させるための通話ボタンを備えたものである。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタ中に通話ボタンが操作されたときにはスキャンモニタを停止して通話モードに移行する制御を行うためのＣＰＵを備えたものである。
【００１１】
本発明の第５の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、個別モニタ中の場合において、スキャンモニタボタンを操作したことを検出すると個別モニタ中の子機からスキャンモニタを開始する制御を行うためのＣＰＵを備えたものである。
【００１２】
本発明の第６の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うためのＣＰＵを備えたものである。スキャンモニタの時間の間隔は、親機の操作、または制御機に接続される設定用コンピュータの操作により設定／変更が行われるものである。
【００１３】
本発明の第７の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタを開始した子機から一巡した場合には、スキャンモニタを終了し、待受状態に移行する制御を行うためのＣＰＵを備えたものである。
【００１４】
本発明の第８の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うためのＣＰＵを備えたものである。親機は、スキャンモニタ中の子機を識別するためのＬＥＤを備えたものである。
【００１５】
本発明の第９の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタ中に子機からの呼び出しを検出したときにはスキャンモニタ中の子機の子機識別ＩＤを記憶するとともに、スキャンモニタを停止して呼出状態に移行させ、その後、待受状態に移行した場合には、記憶した子機識別ＩＤの子機、または次の子機からスキャンモニタを再開させる制御を行うためのＣＰＵを備えたものである。
【００１６】
本発明の第１０の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタ中の子機のカメラにおいて撮像された映像が所定値以上変化したことを検出したときには、スキャンモニタを停止して子機を個別モニタする制御を行うためのＣＰＵを備えたものである。
【００１７】
本発明の第１１の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタ中の子機の音声レベルが所定値以上であると検出したときには、スキャンモニタを停止して子機を個別モニタする制御を行うためのＣＰＵを備えたものである。
【００１８】
本発明の第１２の態様であるインターホンシステムは、カメラを有する複数の子機と、子機のカメラにおいて撮像された映像を出画して通話を成立させるためのモニタを有する親機と、子機および親機を制御するための制御機とを備えたものである。子機は、子機識別のための子機識別ＩＤを有している。制御機は、設定された時間の間隔で、親機において子機をスキャンモニタするためのスキャンモニタボタンが操作されたことを検出したとき、子機識別ＩＤに基づく所定の順序で子機のカメラを動作させることにより、スキャンモニタする制御を行うとともに、スキャンモニタから個別モニタに切り替えた場合の報知を親機において行うためのＣＰＵを備えたものである。
【００１９】
本発明の第１３の態様であるインターホンシステムは、本発明の第１乃至第１２の各態様において、親機は、制御機と一体的に構成されるものである。
【発明の効果】
【００２０】
本発明のインターホンシステムによれば、制御機により制御される複数の子機および親機のうち、子機のカメラにおいて撮像される映像を、子機の子機識別ＩＤに基づく所定の順序で親機のモニタに出画してスキャンモニタを行うにあたって、親機の操作、または制御機に接続される設定用コンピュータの操作により、スキャンモニタの対象および当該スキャンモニタの順序を任意に設定／変更して制御機のメモリに予め記憶できるばかりでなく、スキャンモニタする時間の間隔についても親機または設定用コンピュータを操作して任意に設定／変更できることから、これら設定／変更の作業が容易となり作業効率が高められる。
【００２１】
また、本発明のインターホンシステムによれば、スキャンモニタの対象として設定された複数の子機のうち、特定の当該子機がスキャンモニタ中であっても、他の当該子機の個別モニタが可能となる。
【００２２】
また、本発明のインターホンシステムによれば、スキャンモニタの対象として設定された複数の子機のうち、特定の当該子機がスキャンモニタ中であっても、子機からの呼び出しによりスキャンモニタ中の当該子機との間で親機が通話モードに移行されることから、来訪者等に対して迅速な対応が可能となる。
【００２３】
また、本発明のインターホンシステムによれば、スキャンモニタの対象として設定された複数の子機のうち、最初のスキャンモニタの対象である当該子機を特定できることから、使い勝手が向上する。
【００２４】
また、本発明のインターホンシステムによれば、スキャンモニタの対象として設定された複数の子機のうち、全ての当該子機においてスキャンモニタが一巡した場合には、当該スキャンモニタが停止されて待受状態に移行することから、スキャンモニタの終了のために必要とされる操作の忘れに伴う当該スキャンモニタの継続した動作の発生を防止できる。
【００２５】
また、本発明のインターホンシステムによれば、スキャンモニタの対象として設定された複数の子機のうち、何れの子機がスキャンモニタ中であるのかを容易に確認することができるため、使い勝手が向上する。
【００２６】
本発明のインターホンシステムによれば、スキャンモニタの対象として設定された複数の子機のうち、スキャンモニタ中の当該子機から呼び出しがあった場合には、スキャンモニタが自動的に停止されて呼出状態に移行し、この呼び出しの終了、または通話モードの終了により待受状態に移行された後には、何ら操作を必要とせずにスキャンモニタを自動的に再開させることができるため、使い勝手が向上する。
【００２７】
また、本発明のインターホンシステムによれば、スキャンモニタの対象として設定された複数の子機のうち、スキャンモニタ中の当該子機のカメラにおいて撮像される映像が、所定値以上変化する、例えば、子機の周囲近傍を不審者等が徘徊するように所定値以上変化すると、この映像をスキャンモニタから個別モニタに切り替えて親機のモニタに出画させることができるため、個別モニタの映像の監視に伴い防犯性が向上する。
【００２８】
また、本発明のインターホンシステムによれば、スキャンモニタの対象として設定された複数の子機のうち、スキャンモニタ中の当該子機のマイクに集音される音声が、大きな騒音や不審な物音のように所定値以上の音声レベルであった場合には、子機のカメラにて撮像される映像をスキャンモニタから個別モニタに切り替えて親機のモニタに出画させることができるため、個別モニタの映像の監視に伴い防犯性が向上する。
【００２９】
さらに、本発明のインターホンシステムによれば、親機および制御機を一体的に構成できることから、構成機器の簡素化および配線の省線化に伴い施工性が向上する。
【発明を実施するための最良の形態】
【００３０】
以下、本発明のインターホンシステムを実施するための最良の形態例について、図面を参照して説明する。
【００３１】
図１は、本発明を実施するための最良の一形態であるインターホンシステムの構成を示すシステム説明図である。図１に示すインターホンシステムは、複数の子機、ここでは、５台の子機１ａ、１ｂ、１ｃ、１ｄ、１ｅと、親機２と、２台の増設選局ユニット３ａ、３ｂと、設定用コンピュータ４と、外部機器５と、制御機６とで構成されている。
【００３２】
なお、本発明において、当該子機は５台に限定されるものではなく、２台以上で任意の台数を設けることができる。また、当該増設選局ユニットについても２台に限定されるものではなく、不備とする、或いは任意の台数を設けることができる。
【００３３】
子機１ａ、１ｂ、１ｃ、１ｄ、１ｅはそれぞれ同様な構成であり、子機識別のための子機識別ＩＤを有している。この子機１ａ、１ｂ、１ｃ、１ｄ、１ｅは、当該子機の使用者、例えば、来訪者が呼出操作を行うための呼出ボタン１０と、呼出操作を行った来訪者や自子機の周囲近傍の映像を撮像するためのＣＣＤ（Charge Coupled Device）撮像素子、ＣＭＯＳ（Complementary Metal Oxide Semiconductor）撮像素子等のカメラ１１と、来訪者が呼出先である親機２の使用者、例えば、居住者との間で通話を成立させるにあたり音声（送話音声、受話音声）を入出力するためのマイク１２およびスピーカ１３とが設けられている。なお、マイク１２には、当該子機の周囲環境（の様子）を監視するにあたり、この周囲環境下の音、例えば、大きな騒音や不審な物音を集音する機能を有している。
【００３４】
親機２は、スキャンモニタの対象である子機１ａ、１ｂ、１ｃ、１ｄ、１ｅの設定／変更や当該スキャンモニタの間隔である時間の設定／変更を行う機能を有している。この親機２は、子機１ａ、１ｂ、１ｃ、１ｄ、１ｅからの呼び出しを個別に報知するための呼出音や音声メッセージを放音し、この呼び出しを確認した居住者が呼出元である来訪者との間で通話を成立させるにあたり当該来訪者の音声（受話音声）を出力するとともに、後述するスキャンモニタから個別モニタに切り替えられた旨の報知音や音声メッセージを出力するためのスピーカ２０と、居住者が来訪者との間で通話を成立させるにあたり音声（送話音声）を入力するためのマイク２１と、居住者が通話を成立させる、または成立中の通話を終話するための応答／終話操作が行われる通話ボタン２２と、子機１ａ、１ｂ、１ｃ、１ｄ、１ｅのカメラ１１において撮像された映像を出画するとともに、子機１ａ、１ｂ、１ｃ、１ｄ、１ｅからの呼び出しがある旨の文字メッセージや絵データを表示するためのＬＣＤ（Liquid Crystal Display）、有機ＥＬ（Electro Luminescence）ディスプレイ等のモニタ２３と、子機１ａ、１ｂ、１ｃ、１ｄ、１ｅ毎に割り当てられており、呼出元の当該子機や後述するスキャンモニタ中、個別モニタ中および通話モード中の当該子機を表示（呼出表示、スキャンモニタ識別表示、個別モニタ識別表示および通話モード識別表示）するための（複数個の）ＬＥＤ（Light Emitting Diode）２４および当該子機を選択するための（複数個の）子機選択部２５と、子機１ａ、１ｂ、１ｃ、１ｄ、１ｅのカメラ１１において撮像される映像を、設定（設定／変更）された時間の間隔でモニタ２３にスキャンモニタするためのスキャンモニタボタン２６とが設けられている。
【００３５】
増設選局ユニット３ａ、３ｂはそれぞれ同様な構成である。この増設選局ユニット３ａ、３ｂは、図示しない他の子機毎に割り当てられており、呼出元の当該子機や後述するスキャンモニタ中、個別モニタ中および通話モード中の当該子機を表示（呼出表示、スキャンモニタ識別表示、個別モニタ識別表示および通話モード識別表示）するための（複数個の）ＬＥＤ３０および当該子機を選択するための（複数個の）子機選択部３１が設けられている。
【００３６】
設定用コンピュータ４は、スキャンモニタの対象である子機１ａ、１ｂ、１ｃ、１ｄ、１ｅの設定／変更や当該スキャンモニタの間隔である時間の設定／変更を行う機能を有している。
【００３７】
外部機器５は、子機１ａ、１ｂ、１ｃ、１ｄ、１ｅのカメラ１１において撮像された映像を録画するとともに、通話が成立中において親機２のスピーカ２０およびマイク２１と特定の当該子機のマイク１２およびスピーカ１３との間で送受信される音声、特定の当該子機のマイク１２に集音された音を録音する録画／録音ユニット５０や、子機１ａ、１ｂ、１ｃ、１ｄ、１ｅのカメラ１１において撮像されたリアルタイムの映像や録画／録音ユニット５０から読み出された録画映像を出画するためのＬＣＤ、有機ＥＬディスプレイ等の表示装置５１が含まれる。
【００３８】
制御機６は、当該制御機の構成各部／回路を制御するためのＣＰＵ（Central Processing Unit）６０と、商用電源（ＡＣ１００Ｖ）を整流・平滑させた直流電源を生成し、この直流電源を当該制御機の構成各部／回路および子機１ａ、１ｂ、１ｃ、１ｄ、１ｅの動作電源として供給するための電源供給回路６１と、スキャンモニタの対象である子機１ａ、１ｂ、１ｃ、１ｄ、１ｅを記憶、例えば、対象である当該子機の子機識別ＩＤを記憶するためのＲＯＭ（Read Only Memory）、ＲＡＭ（Random Access Memory）、ＥＥＰＲＯＭ（Electrically Erasable Programmable Read Only Memory）等のメモリ６２と、（５本の）子機ラインＬ1a、Ｌ1b、Ｌ1c、Ｌ1d、Ｌ1eを経由して個別に接続された子機１ａ、１ｂ、１ｃ、１ｄ、１ｅおよびＣＰＵ６０の間の信号伝送路、電源供給路を形成するための子機側インターフェース回路（以下、子機側Ｉ／Ｆという。）６３と、親機ラインＬ2を経由して接続された親機２およびＣＰＵ６０の間の信号伝送路を形成するための親機側インターフェース回路（以下、親機側Ｉ／Ｆという。）６４と、コンピュータラインＬ3を経由して接続された設定用コンピュータ４およびＣＰＵ６０の間の信号伝送路を形成するためのコンピュータ側インターフェース回路（以下、コンピュータ側Ｉ／Ｆという。）６５と、外部機器ラインＬ4a、Ｌ4bを経由して接続された（外部機器５の）録画／録音ユニット５０、表示装置５１およびＣＰＵ６０の間の信号伝送路を形成するための外部機器側インターフェース回路（以下、外部機器側Ｉ／Ｆという。）６６とが備えられている。
【００３９】
なお、本発明において、外部機器５は、前述の録画／録音ユニット５０および表示装置５１に限定されるものではなく、警備会社等に設置されるコンピュータや外出時等において居住者が携行する携帯通信端末等も好適である。また、子機１ａ、１ｂ、１ｃ、１ｄ、１ｅおよび制御機６の間は、（５本の）子機ラインＬ1a、Ｌ1b、Ｌ1c、Ｌ1d、Ｌ1eを使用した個別の接続に限定されるものではなく、単一の当該子機ラインを経由して全ての子機１ａ、１ｂ、１ｃ、１ｄ、１ｅおよび制御機６の間をバス接続することもできる。さらに、外部機器５の録画／録音ユニット５０、表示装置５１および制御機６の間は、（２本の）外部機器ラインＬ4a、Ｌ4bを使用した個別の接続に限定されるものではなく、単一の当該外部機器ラインを経由して録画／録音ユニット５０、表示装置５１および制御機６の間をバス接続することもできる。
【００４０】
このように構成された本発明のインターホンシステムにおいて、以下、具体的な動作について説明する。
［第１の動作］
本発明の第１の動作として、親機２の使用者である居住者、または当該インターホンシステムの管理者は、スキャンモニタの対象である子機１ａ、１ｂ、１ｃ、１ｄ、１ｅの設定／変更を行うにあたり、親機２または設定用コンピュータ４を使用する。ここでは、５台の子機１ａ、１ｂ、１ｃ、１ｄ、１ｅのうち、スキャンモニタの対象として４台の子機１ａ、１ｂ、１ｃ、１ｄが選択され、そのスキャンモニタの順序を、「１ａ」→「１ｂ」→「１ｃ」→「１ｄ」のように設定するものとする。
【００４１】
最初に、親機２においてスキャンモニタの対象および順序の設定を行うにあたっては、１番目のスキャンモニタの対象である子機１ａに割り当てられた子機選択部２５、２番目のスキャンモニタの対象である子機１ｂに割り当てられた子機選択部２５、３番目のスキャンモニタの対象である子機１ｃに割り当てられた子機選択部２５、４番目のスキャンモニタの対象である子機１ｄに割り当てられた子機選択部２５を順次操作する。この操作の情報には、スキャンモニタの当該子機を識別する子機識別ＩＤに割り当てて当該スキャンモニタの順序の情報が付加された後、信号処理される。信号処理されたスキャンモニタ設定信号（以下、第１のスキャンモニタ設定信号という。）は、親機ラインＬ2、制御機６の親機側Ｉ／Ｆ６４を経由してＣＰＵ６０へと伝送される。
【００４２】
また、親機２は、スキャンモニタの間隔として、例えば、５秒の間隔を設定することができる。この設定された時間の情報は、信号処理される。信号処理されたスキャンモニタ時間設定信号（以下、第１のスキャンモニタ時間設定信号という。）は、前述の第１のスキャンモニタ設定信号と同様な信号伝送路を経由して制御機６のＣＰＵ６０へと伝送される。
【００４３】
設定用コンピュータ４においてスキャンモニタの対象および順序の設定を行うにあたっては、１番目のスキャンモニタの対象である子機１ａの子機識別ＩＤ、２番目のスキャンモニタの対象である子機１ｂの子機識別ＩＤ、３番目のスキャンモニタの対象である子機１ｃの子機識別ＩＤ、４番目のスキャンモニタの対象である子機１ｄの子機識別ＩＤを、キーボードやマウス等を使用して順次入力する。これら順次入力された子機識別ＩＤには、スキャンモニタの順序の情報が割り当てられて付加された後、信号処理される。信号処理されたスキャンモニタ設定信号（以下、第２のスキャンモニタ設定信号という。）は、コンピュータラインＬ3、制御機６のコンピュータ側Ｉ／Ｆ６５を経由してＣＰＵ６０へと伝送される。
【００４４】
また、設定用コンピュータ４は、前述の親機２と同様、スキャンモニタの間隔として、例えば、５秒の間隔を設定することができる。この設定された時間の情報は、信号処理される。信号処理されたスキャンモニタ時間設定信号（以下、第２のスキャンモニタ時間設定信号という。）は、前述の第２のスキャンモニタ設定信号と同様な信号伝送路を経由して制御機６のＣＰＵ６０へと伝送される。
【００４５】
制御機６のＣＰＵ６０は、伝送されてきた第１のスキャンモニタ設定信号または第２のスキャンモニタ設定信号を検出すると、スキャンモニタの対象として４台の子機１ａ、１ｂ、１ｃ、１ｄが選択され、そのスキャンモニタの順序が「１ａ」→「１ｂ」→「１ｃ」→「１ｄ」である旨を、それぞれの子機識別ＩＤに割り当ててメモリ６２に予め記憶することができる。また、ＣＰＵ６０は、第１のスキャンモニタ時間設定信号または第２のスキャンモニタ時間設定信号を検出すると、スキャンモニタの間隔として５秒を設定することができる。なお、ＣＰＵ６０は、設定された時間の情報を、メモリ６２に予め記憶することもできる。
【００４６】
なお、前述までの第１の動作においては、５台の子機１ａ、１ｂ、１ｃ、１ｄ、１ｅのうち、スキャンモニタの対象として４台の子機１ａ、１ｂ、１ｃ、１ｄを選択し、そのスキャンモニタの順序を、「１ａ」→「１ｂ」→「１ｃ」→「１ｄ」のように設定する場合について説明したが、スキャンモニタの対象および当該スキャンモニタの順序はこの設定に限定されるものではなく、親機２または設定用コンピュータ４を使用して任意に変更することができる。また、前述の設定／変更の動作が何ら行われないと、スキャンモニタの対象として全ての子機１ａ、１ｂ、１ｃ、１ｄ、１ｅが選択され、そのスキャンモニタの順序は、「１ａ」→「１ｂ」→「１ｃ」→「１ｄ」→「１ｅ」のような降順、または「１ｅ」→「１ｄ」→「１ｃ」→「１ｂ」→「１ａ」のような昇順で設定されることになる。
【００４７】
また、前述までの第１の動作においては、スキャンモニタの間隔として、５秒の時間を設定する場合について説明したが、この時間に限定されるものではなく、親機２または設定用コンピュータ４を使用して、スキャンモニタの間隔を任意に変更することができる。
【００４８】
さらに、前述までの第１の動作においては、５台の子機１ａ、１ｂ、１ｃ、１ｄ、１ｅの中から選択した４台の子機１ａ、１ｂ、１ｃ、１ｄについて、スキャンモニタの対象および当該スキャンモニタの順序を設定／変更し、これに加えてスキャンモニタの間隔を設定／変更する場合について説明したが、５台の子機１ａ、１ｂ、１ｃ、１ｄ、１ｅを除く図示しない他の子機について前述の各種の設定／変更を行うにあたっては、増設選局ユニット３ａ、３ｂまたは設定用コンピュータ４を使用して任意に設定／変更することができる。
［第２の動作］
次に、本発明の第２の動作を説明するにあたり、前述の第１の動作のように、スキャンモニタの対象として４台の子機１ａ、１ｂ、１ｃ、１ｄが選択され、そのスキャンモニタの順序「１ａ」→「１ｂ」→「１ｃ」→「１ｄ」が制御機６のメモリ６２に予め記憶され、スキャンモニタの間隔が５秒である旨がＣＰＵ６０に設定された後に、親機２の使用者である居住者、または当該インターホンシステムの管理者がスキャンモニタの動作を開始するためには、スキャンモニタボタン２６を操作する。この操作の情報は、信号処理されたスキャンモニタ起動信号として、前述の第１のスキャンモニタ設定信号と同様な信号伝送路を経由して制御機６のＣＰＵ６０へと伝送される。
【００４９】
制御機６のＣＰＵ６０は、伝送されてきたスキャンモニタ起動信号を検出すると、スキャンモニタの対象として４台の子機１ａ、１ｂ、１ｃ、１ｄが選択され、そのスキャンモニタの順序が「１ａ」→「１ｂ」→「１ｃ」→「１ｄ」である旨をメモリ６２から読み出すとともに、計時機能が能動となり当該ＣＰＵに予め設定されているスキャンモニタの間隔である５秒の計時を開始する。また、ＣＰＵ６０は、当該制御機の構成各部／回路に電源供給している電源供給回路６１において生成された動作電源が、スキャンモニタの順序「１ａ」→「１ｂ」→「１ｃ」→「１ｄ」で前述の５秒を経過する前の所定のタイミング、例えば、４秒の経過後において６秒（６秒間）供給されるように当該電源供給回路を制御する。さらに、ＣＰＵ６０は、電源供給回路６１からスキャンモニタの対象である特定の当該子機への電源供給路が形成されるように子機側Ｉ／Ｆ６３を制御する。
【００５０】
すなわち、前述のスキャンモニタ起動信号を検出した制御機６のＣＰＵ６０は、最初に、１番目のスキャンモニタの対象である子機１ａにのみ動作電源が５秒（５秒間）供給されるように電源供給回路６１および子機側Ｉ／Ｆ６３を制御する。この電源供給回路６１において生成された動作電源は、子機側Ｉ／Ｆ６３、子機ラインＬ1aを経由して子機１ａに給電され、子機１ａのカメラ１１を動作させることができる。
【００５１】
子機１ａのカメラ１１は、自子機の周囲近傍の映像の撮像を開始する。この映像は、子機１ａの子機識別ＩＤが付加された後、信号処理される。信号処理された映像信号（以下、第１の映像信号という。）は、子機ラインＬ1a、制御機６の子機側Ｉ／Ｆ６３、ＣＰＵ６０、親機側Ｉ／Ｆ６４、親機ラインＬ2を経由して親機２へと伝送される。
【００５２】
親機２は、伝送されてきた第１の映像信号に付加されている子機識別ＩＤをもとに、撮像元の当該子機が子機１ａであることを検出し、この子機１ａのカメラ１１において撮像された映像をモニタ２３に出画するとともに、子機１ａに割り当てられたＬＥＤ２４を所定のパターンで点滅／点灯させ、スキャンモニタ識別表示を行うことができる。
【００５３】
親機２の使用者である居住者、または当該インターホンシステムの管理者は、スキャンモニタ識別表示として点滅／点灯されたＬＥＤ２４をもとに、モニタ２３に出画されている映像が子機１ａのカメラ１１において撮像された映像であることを確認し、このスキャンモニタ中の映像を容易に監視することができる。
【００５４】
次に、制御機６のＣＰＵ６０において４秒の計時が経過すると、これを検出したＣＰＵ６０は、２番目のスキャンモニタの対象である子機１ｂへの動作電源が６秒（６秒間）供給されるように電源供給回路６１および子機側Ｉ／Ｆ６３を制御する。この電源供給回路６１において生成された動作電源は、子機側Ｉ／Ｆ６３、子機ラインＬ1bを経由して子機１ｂに給電され、子機１ｂのカメラ１１を動作させることができる。また、ＣＰＵ６０において計時されている５秒が経過すると、これを検出したＣＰＵ６０は、子機側Ｉ／Ｆ６３を制御して子機１ａから親機２への信号伝送路を遮断するとともに、子機１ａへの給電を停止して待受状態に移行させる一方、子機１ｂから親機２への信号伝送路を形成する。
【００５５】
子機１ｂのカメラ１１は、自子機の周囲近傍の映像の撮像を開始する。この映像は、子機１ｂの子機識別ＩＤが付加された後、信号処理される。信号処理された映像信号（以下、第２の映像信号という。）は、子機ラインＬ1b、制御機６の子機側Ｉ／Ｆ６３、ＣＰＵ６０、親機側Ｉ／Ｆ６４、親機ラインＬ2を経由して親機２へと伝送される。
【００５６】
親機２は、伝送されてきた第２の映像信号に付加されている子機識別ＩＤをもとに、撮像元の当該子機が子機１ａから切り替えられた子機１ｂであることを検出し、この子機１ｂのカメラ１１において撮像された映像をモニタ２３に出画するとともに、子機１ａに割り当てられたＬＥＤ２４を消灯させる一方、子機１ｂに割り当てられたＬＥＤ２４を所定のパターンで点滅／点灯させ、スキャンモニタ識別表示を行うことができる。
【００５７】
親機２の使用者である居住者、または当該インターホンシステムの管理者は、スキャンモニタ識別表示として点滅／点灯されたＬＥＤ２４をもとに、モニタ２３に出画されている映像が子機１ａのカメラ１１において撮像された映像から切り替えられた子機１ｂのカメラ１１において撮像された映像であることを確認し、このスキャンモニタ中の映像を容易に監視することができる。
【００５８】
前述までの第２の動作のように、制御機６のＣＰＵ６０は、電源供給回路６１からスキャンモニタの対象として選択された４台の子機１ａ、１ｂ、１ｃ、１ｄへと供給する動作電源を、メモリ６２から読み出されたスキャンモニタの順序「１ａ」→「１ｂ」→「１ｃ」→「１ｄ」で、計時されている５秒を経過する前の４秒のタイミングで６秒（６秒間）供給し、子機側Ｉ／Ｆ６３から当該ＣＰＵを経由して親機側Ｉ／Ｆ６４に伝送する映像信号の信号伝送路を５秒毎に切り替えることにより、スキャンモニタの対象として選択された４台の子機１ａ、１ｂ、１ｃ、１ｄのカメラ１１において撮像される映像を、５秒の間隔で親機２のモニタ２３に切り替えて出画させることができるばかりでなく、この撮像元は、スキャンモニタ識別表示として点滅／点灯される親機２のＬＥＤ２４をもとに容易に確認することができる。
【００５９】
また、スキャンモニタの対象として選択された４台の子機１ａ、１ｂ、１ｃ、１ｄが「１ａ」→「１ｂ」→「１ｃ」→「１ｄ」→「１ａ」の順序で一巡され、カメラ１１において撮像される映像が親機２のモニタ２３に出画された後、すなわち、子機１ａのカメラ１１において撮像された映像が５秒間、親機２のモニタ２３に出画された後、この５秒の経過を検出した制御機６のＣＰＵ６０は、スキャンモニタの動作を停止して待受状態に移行する。すなわち、計時機能が非能動となり電源供給回路６１からスキャンモニタの対象として選択された４台の子機１ａ、１ｂ、１ｃ、１ｄへの動作電源の供給を停止することから、スキャンモニタの終了のために必要とされる操作の忘れに伴う当該スキャンモニタの継続した動作の発生を防止できる。
【００６０】
なお、制御機６のＣＰＵ６０は、スキャンモニタの動作を停止して待受状態に移行する制御のみならず、前述と同様なスキャンモニタの動作（「１ｂ」→「１ｃ」→「１ｄ」→「１ａ」→「１ｂ」）を繰り返すように制御（ループ制御）することもできる。
［第３の動作］
次に、本発明の第３の動作を説明するにあたり、前述の第２の動作のように、スキャンモニタの対象として選択された４台の子機１ａ、１ｂ、１ｃ、１ｄのうち、特定の当該子機、ここでは、子機１ａのカメラ１１において撮像された映像が親機２のモニタ２３に出画されている場合に、このスキャンモニタ中の映像を監視している親機２の使用者である居住者、または当該インターホンシステムの管理者が、子機１ａを除く所望の当該子機のカメラ１１において撮像される映像を個別モニタするためには、親機２の子機１ｃに割り当てられた子機選択部２５を操作する。この操作の情報には、子機１ｃの子機識別ＩＤが付加された後、信号処理される。信号処理された個別モニタ設定信号は、前述の第１のスキャンモニタ設定信号と同様な信号伝送路を経由して制御機６のＣＰＵ６０へと伝送される。
【００６１】
制御機６のＣＰＵ６０は、伝送されてきた個別モニタ設定信号を検出すると、子機１ａへの動作電源の供給を停止する一方、子機１ｃへの動作電源の供給が開始されるように電源供給回路６１を制御するとともに、子機側Ｉ／Ｆ６３を制御して子機１ａから親機２への信号伝送路を遮断する一方、子機１ｃから親機２への信号伝送路を形成する。また、ＣＰＵ６０は、子機１ｃの子機識別ＩＤをメモリ６２に記憶する。さらに、ＣＰＵ６０は、スキャンモニタから切り替えられた個別モニタである旨を親機２の使用者である居住者、または当該インターホンシステムの使用者に報知するための報知信号（以下、第１の報知信号という。）を生成する。この第１の報知信号は、親機Ｉ／Ｆ６４、親機ラインＬ2を経由して親機２へと伝送される。
【００６２】
子機１ｃのカメラ１１は、自子機の周囲近傍の映像の撮像を開始する。この映像は、子機１ｃの子機識別ＩＤが付加された後、信号処理される。信号処理された映像信号（以下、第３の映像信号という。）は、子機ラインＬ1c、制御機６の子機側Ｉ／Ｆ６３、ＣＰＵ６０、親機側Ｉ／Ｆ６４、親機ラインＬ2を経由して親機２へと伝送される。
【００６３】
親機２は、伝送されてきた第３の映像信号に付加されている子機識別ＩＤをもとに、撮像元の当該子機が子機１ｃであることを検出し、この子機１ｃのカメラ１１において撮像された映像をモニタ２３に出画するとともに、子機１ａに割り当てられたＬＥＤ２４を消灯させる一方、子機１ｃに割り当てられたＬＥＤ２４を前述のスキャンモニタ識別表示のパターンとは異なる所定のパターンで点滅／点灯させ、個別モニタ識別表示を行うことができる。
【００６４】
また、親機２は、伝送されてきた第１の報知信号をもとに、スキャンモニタから切り替えられた個別モニタであることを検出し、その旨を報知するための報知音や音声メッセージをスピーカ２０から出力させることができる。
【００６５】
親機２の使用者である居住者、または当該インターホンシステムの管理者は、スピーカ２０から出力された報知音や音声メッセージと、個別モニタ識別表示として点滅／点灯されたＬＥＤ２４をもとに、モニタ２３に出画されている映像が、スキャンモニタ中の子機１ａのカメラ１１において撮像された映像から切り替えられた個別モニタ先の子機１ｃのカメラ１１において撮像された映像であることを確認し、この映像を容易に監視することができる。
【００６６】
なお、前述までの第３の動作においては、子機１ａを除く所望の当該子機のカメラ１１において撮像される映像を個別モニタするにあたり、個別モニタの対象として子機１ｃを選択し、その設定を親機２の子機選択部２５を操作して行ったが、個別モニタの対象は子機１ｃに限定されるものではない。例えば、図示しない子機を選択するにあたっては、増設選局ユニット３ａ、３ｂのうち何れの当該ユニットにおいても、個別モニタの対象である子機（図示せず）に割り当てられた子機選択部３１を操作する。この操作の情報には、子機識別ＩＤが付加された後、前述の個別モニタ設定信号と同様な信号伝送路を経由して制御機６のＣＰＵ６０へと伝送される。
【００６７】
制御機６のＣＰＵ６０は、増設選局ユニット３ａ、３ｂのうち何れの当該ユニットからの個別モニタ設定信号を検出すると、前述の親機２からの個別モニタ設定信号を検出した場合と同様な制御を行うことにより、個別モニタの対象である子機（図示せず）のカメラ１１にて撮像された映像が親機２のモニタ２３に出画されるとともに、個別モニタの対象である子機（図示せず）の子機識別ＩＤがメモリ６２に記憶される。また、親機２では、子機１ａに割り当てられたＬＥＤ２４が消灯されるとともに、スキャンモニタから切り替えられた個別モニタである旨の報知音や音声メッセージがスピーカ２０から出力される。さらに、増設選局ユニット３ａ、３ｂでは、個別モニタの対象である子機（図示せず）に割り当てられたＬＥＤ３０が所定のパターンで点滅／点灯され、個別モニタ識別表示が行われる。
【００６８】
増設選局ユニット３ａ、３ｂの使用者である居住者、または当該インターホンシステムの管理者は、親機２のスピーカ２０から出力された報知音や音声メッセージと、個別モニタ識別表示として点滅／点灯されたＬＥＤ３０をもとに、モニタ２３に出画されている映像が、スキャンモニタ中の子機１ａのカメラ１１において撮像された映像から切り替えられた個別モニタ先の図示しない子機のカメラ１１において撮像された映像であることを確認し、この映像を容易に監視することができる。
［第４の動作］
次に、本発明の第４の動作を説明するにあたり、前述の第２の動作のように、スキャンモニタの対象として選択された４台の子機１ａ、１ｂ、１ｃ、１ｄのうち、特定の当該子機、ここでは、子機１ａのカメラ１１において撮像された映像が親機２のモニタ２３に出画されている場合に、このスキャンモニタ中の映像を監視している親機２の使用者である居住者、または当該インターホンシステムの管理者が子機１ａとの間を通話モードに移行させるために通話ボタン２２を操作すると、応答信号（以下、第１の応答信号という。）が生成される。この第１の応答信号は、前述の第１のスキャンモニタ設定信号と同様な信号伝送路を経由して制御機６のＣＰＵ６０へと伝送される。
【００６９】
制御機６のＣＰＵ６０は、伝送されてきた第１の応答信号を検出すると、親機２の使用者である居住者、または当該インターホンシステムの管理者により応答操作が行われたことを検出し、スキャンモニタの動作を停止するとともに、子機１ａのマイク１２およびスピーカ１３と、子機ラインＬ1a、子機側Ｉ／Ｆ６３、当該ＣＰＵ、親機側Ｉ／Ｆ６４、親機ラインＬ2を経由して親機２のスピーカ２０およびマイク２１との間の通話路を形成することにより、当該インターホンシステムは、スキャンモニタの動作モードから通話モードに移行される。
【００７０】
また、前述のように通話モードに移行された場合において、子機１ａに割り当てられた親機２のＬＥＤ２４は、前述のスキャンモニタ識別表示および個別モニタ識別表示のパターンとは異なる所定のパターンで点滅／点灯され、通話モード識別表示に切り替えられる。
【００７１】
親機２の使用者である居住者、または当該インターホンシステムの管理者は、前述の形成された通話路を経由して音声信号を送受信させることにより、子機１ａの使用者、例えば、子機１ａの周囲近傍に居る人物、例えば、来訪者等との間で通話を成立させることができ、この来訪者等に対して迅速な対応が可能となる。
［第５の動作］
次に、本発明の第５の動作を説明するにあたり、前述の第３の動作のように、子機１ｃのカメラ１１において撮像された映像が親機２のモニタ２３に個別モニタとして出画されている場合に、親機２の使用者である居住者、または当該インターホンシステムの管理者がスキャンモニタの動作を再開するためにスキャンモニタボタン２６を操作すると、スキャンモニタ再開信号が生成される。このスキャンモニタ再開信号は、前述の第１のスキャンモニタ設定信号と同様な信号伝送路を経由して制御機６のＣＰＵ６０へと伝送される。
【００７２】
制御機６のＣＰＵ６０は、伝送されてきたスキャンモニタ再開信号を検出すると、当該ＣＰＵに予め設定されているスキャンモニタの間隔である５秒の計時を再開する。また、ＣＰＵ６０は、子機１ｃに割り当てられた親機２のＬＥＤ２４を個別モニタ識別表示からスキャンモニタ識別表示に切り替えるための表示切替信号を生成する。この表示切替信号は、前述の第１のスキャンモニタ設定信号の信号伝送路とは逆の当該伝送路を経由して親機２へと伝送される。
【００７３】
親機２は、伝送されてきた表示切替信号を検出すると、子機１ｃに割り当てられたＬＥＤ２４の点滅／点灯のパターンを、個別モニタ識別表示からスキャンモニタ識別表示に切り替えることができる。
【００７４】
また、前述のスキャンモニタ再開信号を検出した制御機６のＣＰＵ６０は、メモリ６２から読み出されたスキャンモニタの順序「１ａ」→「１ｂ」→「１ｃ」→「１ｄ」を参照して、個別モニタ中の子機１ｃを最初に「１ｃ」→「１ｄ」→「１ａ」→「１ｂ」の順序で、電源供給回路６１において生成された動作電源が、計時されている５秒を経過する前の４秒の経過後において６秒（６秒間）供給されるように当該電源供給回路を制御する。また、ＣＰＵ６０は、電源供給回路６１からスキャンモニタの対象である当該子機への電源供給路が形成されるように子機側Ｉ／Ｆ６３を制御する。
【００７５】
すなわち、制御機６のＣＰＵ６０は、最初に、４秒の経過後において子機１ｄにのみ動作電源が６秒（６秒間）供給されるように電源供給回路６１および子機側Ｉ／Ｆ６３を制御する。この電源供給回路６１において生成された動作電源は、子機側Ｉ／Ｆ６３、子機ラインＬ1dを経由して子機１ｄに給電され、子機１ｄのカメラ１１を動作させることができる。また、ＣＰＵ６０において計時されている５秒が経過すると、これを検出したＣＰＵ６０は、子機側Ｉ／Ｆ６３を制御して子機１ｃから親機２への信号伝送路を遮断するとともに、子機１ｃへの給電を停止して待受状態に移行させる一方、子機１ｄから親機２への信号伝送路を形成する。
【００７６】
子機１ｄのカメラ１１は、自子機の周囲近傍の映像の撮像を開始する。この映像は、子機１ｄの子機識別ＩＤが付加された後、信号処理される。信号処理された映像信号（以下、第４の映像信号という。）は、子機ラインＬ1d、制御機６の子機側Ｉ／Ｆ６３、ＣＰＵ６０、親機側Ｉ／Ｆ６４、親機ラインＬ2を経由して親機２へと伝送される。
【００７７】
親機２は、伝送されてきた第４の映像信号に付加されている子機識別ＩＤをもとに、撮像元の当該子機が子機１ｄであることを検出し、この子機１ｄのカメラ１１において撮像された映像をモニタ２３に出画するとともに、子機１ｃに割り当てられたＬＥＤ２４を消灯させる一方、子機１ｄに割り当てられたＬＥＤ２４を所定のパターンで点滅／点灯させ、スキャンモニタ識別表示を行うことができる。
【００７８】
親機２の使用者である居住者、または当該インターホンシステムの管理者は、スキャンモニタ識別表示として点滅／点灯されたＬＥＤ２４をもとに、モニタ２３に出画されている映像が、子機１ｃのカメラ１１において撮像された映像から切り替えられた子機１ｄのカメラ１１において撮像された映像であることを確認し、このスキャンモニタ中の映像を容易に監視することができる。
【００７９】
前述までの第５の動作のように、制御機６のＣＰＵ６０は、個別モニタ中であった子機１ｃからスキャンモニタを開始（再開）することができる。
【００８０】
また、スキャンモニタの対象として選択された４台の子機１ａ、１ｂ、１ｃ、１ｄが「１ｃ」→「１ｄ」→「１ａ」→「１ｂ」→「１ｃ」の順序で一巡され、カメラ１１において撮像される映像が親機２のモニタ２３に出画された後、すなわち、子機１ｃのカメラ１１において撮像された映像が５秒間、親機２のモニタ２３に出画された後、この５秒の経過を検出した制御機６のＣＰＵ６０は、前述の第２の動作と同様、スキャンモニタの動作を停止して待受状態に移行することから、スキャンモニタの終了のために必要とされる操作の忘れに伴う当該スキャンモニタの継続した動作の発生を防止できる。
【００８１】
さらに、制御機６のＣＰＵ６０は、スキャンモニタの動作を停止して待受状態に移行する制御のみならず、前述と同様なスキャンモニタの動作（「１ｄ」→「１ａ」→「１ｂ」→「１ｃ」→「１ｄ」）を繰り返すように制御（ループ制御）することもできる。
【００８２】
なお、前述までの第５の動作においては、子機１ｃのカメラ１１において撮像された映像が親機２のモニタ２３に個別モニタとして出画されている場合にスキャンモニタの動作を再開する動作について説明したが、前述の第３の動作で示したように、図示しない子機のカメラ１１において撮像された映像が親機２のモニタ２３に個別モニタとして出画されている場合、親機２の使用者である居住者、または当該インターホンシステムの管理者がスキャンモニタの動作を再開するためには、スキャンモニタボタン２６を操作する。
【００８３】
前述までの第５の動作と同様、親機２からのスキャンモニタ再開信号を検出した制御機６のＣＰＵ６０は、当該ＣＰＵに予め設定されているスキャンモニタの間隔である５秒の計時を再開するとともに、図示しない子機に割り当てられた増設選局ユニット３ａ、３ｂのＬＥＤ３０を消灯させ、さらに、メモリ６２から読み出されたスキャンモニタの順序「１ａ」→「１ｂ」→「１ｃ」→「１ｄ」を参照して、個別モニタへと切り替えられる前にスキャンモニタ中であった子機１ａを最初に「１ａ」→「１ｂ」→「１ｃ」→「１ｄ」の順序でスキャンモニタを再開させることができる。
［第６の動作］
次に、本発明の第６の動作を説明するにあたり、前述の第２の動作のように、スキャンモニタの対象として選択された４台の子機１ａ、１ｂ、１ｃ、１ｄのうち、特定の当該子機、ここでは、子機１ａのカメラ１１において撮像された映像が（スキャンモニタ中の映像として）親機２のモニタ２３に出画されている場合に、この子機１ａの呼出ボタン１０を操作するような呼出操作が来訪者により行われると、子機１ａの子機識別ＩＤを付加させた呼出信号が生成される。この呼出信号は、子機ラインＬ1a、制御機６の子機側Ｉ／Ｆ６３を経由してＣＰＵ６０へと伝送される。
【００８４】
制御機６のＣＰＵ６０は、伝送されてきた呼出信号に付加されている子機識別ＩＤをもとに、スキャンモニタ中の子機１ａからの呼び出しがあることを検出し、スキャンモニタの動作を停止させて呼出状態（のモード）に移行する。また、ＣＰＵ６０は、所定の呼出時間（詳述せず）の計時を開始するとともに、伝送されてきた呼出信号を、親機側Ｉ／Ｆ６４、親機ラインＬ2を経由して親機２に出力する。さらに、ＣＰＵ６０は、子機１ａの子機識別ＩＤをメモリ６２に記憶する。
【００８５】
親機２は、伝送されてきた呼出信号に付加されている子機識別ＩＤをもとに、スキャンモニタ中の子機１ａからの呼び出しがあることを検出し、その旨の呼出音や音声メッセージをスピーカ２０から出力するとともに、子機１ａに割り当てられたＬＥＤ２４を前述のスキャンモニタ識別表示、個別モニタ識別表示および通話モード識別表示とは異なるパターンで点滅／点灯させ、呼出表示を行うことができる。なお、親機２は、スキャンモニタ中の子機１ａからの呼び出しがある旨の文字メッセージや絵データをモニタ２３に表示させることもできる。
【００８６】
親機２の使用者である居住者は、スピーカ２０から出力された呼出音や音声メッセージと、呼出表示として点滅／点灯されたＬＥＤ２４をもとに、スキャンモニタ中である子機１ａの呼出ボタン１０を操作した来訪者からの呼び出しを確認できるばかりでなく、モニタ２３に出画されている映像をもとに来訪者の識別が容易となる。
【００８７】
この後、親機２の使用者である居住者が応答のために通話ボタン２２を操作すると、応答信号（以下、第２の応答信号という。）が生成される。この第２の応答信号は、前述の第１のスキャンモニタ設定信号と同様な信号伝送路を経由して制御機６のＣＰＵ６０へと伝送される。
【００８８】
制御機６のＣＰＵ６０は、伝送されてきた第２の応答信号を検出すると、親機２の使用者である居住者により応答操作が行われたことを検出し、前述の呼出時間内において所定の通話時間（詳述せず）の計時を開始する。また、ＣＰＵ６０は、前述の通話時間内において、子機１ａのマイク１２およびスピーカ１３と、子機ラインＬ1a、子機側Ｉ／Ｆ６３、当該ＣＰＵ、親機側Ｉ／Ｆ６４、親機ラインＬ2を経由して親機２のスピーカ２０およびマイク２１との間の通話路を形成することにより、当該インターホンシステムは、呼出状態の動作モードから通話モードに移行される。
【００８９】
また、前述のように通話モードに移行された場合において、子機１ａに割り当てられた親機２のＬＥＤ２４は、前述の第４の実施例と同様、通話モード識別表示に切り替えられる。
【００９０】
親機２の使用者である居住者は、前述の形成された通話路を経由して音声信号を送受信させることにより、子機１ａの使用者である来訪者との間で通話を成立させることができる。
【００９１】
次に、子機１ａの使用者である来訪者との間で通話が成立中において、親機２の使用者である居住者が通話ボタン２２を（再度）操作すると、終話信号が生成される。この終話信号は、前述の第１のスキャンモニタ設定信号と同様な信号伝送路を経由して制御機６のＣＰＵ６０へと伝送される。
【００９２】
制御機６のＣＰＵ６０は、伝送されてきた終話信号を検出する、または前述の通話時間の経過を検出すると、通話状態の動作モードから待受状態に移行され、当該ＣＰＵに予め設定されているスキャンモニタの間隔である５秒の計時を再開する。また、ＣＰＵ６０は、メモリ６２から読み出されたスキャンモニタの順序「１ａ」→「１ｂ」→「１ｃ」→「１ｄ」を参照して、待受状態に移行された子機１ａを最初に「１ａ」→「１ｂ」→「１ｃ」→「１ｃ」の順序で、または待受状態に移行された子機１ａの次のスキャンモニタの対象である子機１ｂを最初に「１ｂ」→「１ｃ」→「１ｄ」→「１ｅ」の順序で、電源供給回路６１において生成された電源が、計時されている５秒を経過する前の４秒の経過後において６秒（６秒間）供給されるように当該電源供給回路を制御する。さらに、ＣＰＵ６０は、電源供給回路６１からスキャンモニタの対象である当該子機への電源供給路が形成されるように子機側Ｉ／Ｆ６３を制御する。
【００９３】
また、待受状態に移行された子機１ａを最初に「１ａ」→「１ｂ」→「１ｃ」→「１ｄ」の順序でスキャンモニタを行う動作、および待受状態に移行された子機１ａの次のスキャンモニタの対象である子機１ｂを最初に「１ｂ」→「１ｃ」→「１ｄ」→「１ａ」の順序でスキャンモニタを行う動作については、前述の第２の動作と同様であり、何ら操作を必要とせずにスキャンモニタを自動的に再開させることができるばかりでなく、スキャンモニタの終了のために必要とされる操作の忘れに伴う当該スキャンモニタの継続した動作の発生を防止でき、さらに、前述と同様なスキャンモニタの動作（「１ａ」→「１ｂ」→「１ｃ」→「１ｄ」→「１ａ」、または「１ｂ」→「１ｃ」→「１ｄ」→「１ａ」→「１ｂ」）を繰り返すように制御（ループ制御）することもできる。
【００９４】
なお、前述までの第６の動作においては、子機１ａのカメラ１１において撮像された映像が（スキャンモニタ中の映像として）親機２のモニタ２３に出画されている場合の呼出元として、スキャンモニタの対象である子機１ａを適用したが、呼出元は子機１ａに限定されるものではなく、全ての子機からの呼び出しが可能である。例えば、５台の子機１ａ、１ｂ、１ｃ、１ｄ、１ｅを除く図示しない他の子機のうち何れかの子機の呼出ボタン１０が操作された場合には、親機２のスピーカ２０から呼出音や音声メッセージが出力されるとともに、子機１ａに割り当てられたＬＥＤ２４が消灯する一方、増設選局ユニット３ａ、３ｂの呼出元の子機に割り当てられたＬＥＤ３０が前述のスキャンモニタ識別表示、個別モニタ識別表示および通話モード識別表示とは異なるパターンで点滅／点灯されることにより、呼出表示を行うことができる。
［第７の動作］
次に、本発明の第７の動作を説明するにあたり、前述の第２の動作のように、スキャンモニタの対象として選択された４台の子機１ａ、１ｂ、１ｃ、１ｄのうち、特定の当該子機、ここでは、１番目のスキャンモニタの対象である子機１ａのカメラ１１において撮像された映像が親機２のモニタ２３に出画されている場合に、このスキャンモニタ中の映像が所定値以上変化する、例えば、子機１ａの周囲近傍を不審者等が徘徊するように所定値以上変化すると、これを検出した制御機６のＣＰＵ６０は、スキャンモニタの動作を停止する。また、ＣＰＵ６０は、子機１ａへの動作電源が継続して供給されるように電源供給回路６１を制御する。さらに、ＣＰＵ６０は、スキャンモニタから切り替えられた個別モニタである旨を親機２の使用者である居住者、または当該インターホンシステムの使用者に報知するための報知信号（以下、第２の報知信号という。）を生成する。この第２の報知信号は、前述の第１の報知信号と同様な信号伝送路を経由して親機２へと伝送される。
【００９５】
親機２は、伝送されてきた第２の報知信号をもとに、スキャンモニタから切り替えられた個別モニタであることを検出し、その旨を報知するための報知音や音声メッセージをスピーカ２０から出力させるとともに、子機１ａに割り当てられたＬＥＤ２４を前述のスキャンモニタ識別表示のパターンとは異なる所定のパターンで点滅／点灯させ、個別モニタ識別表示を行うことができる。
【００９６】
親機２の使用者である居住者、または当該インターホンシステムの管理者は、スピーカ２０から出力された報知音や音声メッセージと、個別モニタ識別表示として点滅／点灯されたＬＥＤ２４をもとに、モニタ２３に出画されている映像が、スキャンモニタ中の映像から個別モニタ中の映像に切り替えられた子機１ａのカメラ１１において撮像された映像であることを確認し、この映像をもとに子機１ａの周囲近傍（の様子）を容易に監視でき防犯性が向上する。
［第８の動作］
次に、本発明の第８の動作を説明するにあたり、前述の第２の動作のように、スキャンモニタの対象として選択された４台の子機１ａ、１ｂ、１ｃ、１ｄのうち、特定の当該子機、ここでは、１番目のスキャンモニタの対象である子機１ａのカメラ１１において撮像された映像が親機２のモニタ２３に出画されている場合に、予め能動状態に制御された子機１ａのマイク１１に集音される周囲環境下の音の音圧レベル（以下、音声レベルという。）が所定値以上となる、例えば、子機１ａの周囲近傍にて大きな騒音や不審な物音が発生する等で音声レベルが所定値以上となると、これを検出した制御機６のＣＰＵ６０は、前述の第７の動作と同様な制御を行うことができる。
【００９７】
親機２の使用者である居住者、または当該インターホンシステムの管理者は、スピーカ２０から出力された報知音や音声メッセージと、個別モニタ識別表示として点滅／点灯されたＬＥＤ２４をもとに、モニタ２３に出画されている映像が、スキャンモニタ中の映像から個別モニタ中の映像に切り替えられた子機１ａのカメラ１１において撮像された映像であることを確認し、この映像をもとに子機１ａの周囲近傍（の様子）を容易に監視でき防犯性が向上する。
【００９８】
なお、本発明の第２乃至第８の各動作において、スキャンモニタの対象として選択された４台の子機１ａ、１ｂ、１ｃ、１ｄのカメラ１１にて撮像される映像、すなわち、スキャンモニタ中または個別モニタ中の映像は、親機２のモニタ２３に出画するばかりでなく、（制御機６のＣＰＵ６０の制御により）外部機器５の録画／録音ユニット５０に録画する、またはリアルタイムの映像として表示装置５１に出画することもでき、録画／録音ユニット５０に録画された映像（録画映像）は、表示装置５１および／または親機２のモニタ２３に出画させることができる。また、特定の当該子機のマイク１２に集音された音（大きな騒音や不審な物音）についても、（制御機６のＣＰＵ６０の制御により）外部機器５の録画／録音ユニット５０に録音することができ、録画／録音ユニット５０に録音された音は、親機２のスピーカ２０から出力させることができる。
【００９９】
また、本発明において、親機２および制御機６は、親機ラインＬ2を経由して有線接続されるように別体の機器として設けたが、この形態に限定されるものでなく、一体的に構成することもできる。この構成を適用するにあたっては、機器構成の簡素化および配線の省線化に伴い施工性が向上する。
【０１００】
また、本発明において、スキャンモニタ中の動作は映像のみとして説明したが、これに限定されるものではなく、スキャンモニタ中の音声についても親機２のスピーカ２０から出力することができる。
【０１０１】
さらに、本発明においては、図１に示した特定の実施の形態をもって説明してきたが、この形態に限定されるものでなく、本発明の効果を奏する限り、これまで知られた如何なる構成であっても採用できるということはいうまでもないことである。
【図面の簡単な説明】
【０１０２】
【図１】本発明を実施するための最良の一形態であるインターホンシステムの構成を示すシステム説明図。
【符号の説明】
【０１０３】
１ａ、１ｂ、１ｃ、１ｄ、１ｅ……（複数の）子機
１１……カメラ
２……親機
２２……通話ボタン
２３……モニタ
２４……ＬＥＤ
２５……子機選択部
２６……スキャンモニタボタン
４……設定用コンピュータ
６……制御機
６０……ＣＰＵ
６２……メモリ
【図１】
2007037054.tif 000003